(57)【要約】【課題】  従来、敷物としての使い方しかなかった畳に発光手段を設けることで、一般住宅でも簡単に癒しの空間を演出でき、従来の間接照明でも、就寝時の照明としては、眩し過ぎるという問題があったが、そのため眩しさを感じることなく眠りに入ることができ、かつ夜中の移動に対しても足元を照らしてくれる照明を提供する。【解決手段】  上記目的を達成するために、本発明の、発光手段を有する機能性畳は、畳表と畳床からなる畳において、発光手段を有するもので、従来、敷物としての使い方しかなかった、畳を足元を明るくしたり、空間を演出するための発光手段として使用することができる。【選択図】図１
2007309071.tif 000002
【特許請求の範囲】
【請求項１】
畳表と畳床からなる畳において、発光手段を有することを特徴とする機能性畳。
【請求項２】
前記畳の表面部に発光手段を有することを特徴とする請求項１記載の機能性畳。
【請求項３】
前記畳の側面部に発光手段を有することを特徴とする請求項１記載の機能性畳。
【請求項４】
前記畳の縁端部に発光手段を有することを特徴とする請求項１記載の機能性畳。
【発明の詳細な説明】
【技術分野】
【０００１】  本発明は、畳表及び畳床からなる畳に、発光手段を配設した機能性畳に関する。
【背景技術】
【０００２】  従来、畳表及び畳床からなる畳は、主に和室の床材として使用されていたが近年は、生活スタイルの変化から和室が減りフローリングによる洋室が増えており、それにともない床材としての畳の需要も減少していた、しかし、畳の持つ癒しや調湿などの効果が見直されるようになり、最近は、フローリング用の置き畳や、寝台、座布団などの畳製品が使用されるようになってきた。【０００３】  前記のような畳製品は、その使用目的から、機能性だけでなくデザイン性も重視されるものであった。【０００４】  また、従来の照明は、単に部屋や場所を明るくし、人や物を認識するための手段であった、しかし、近年、この照明を利用して、癒しの効果を得たり、空間を居心地好く演出したりすることが行われるようになった。【０００５】  前記のような照明は、場、ヒト、モノをつなぐ、関係性のデザインであると言われ、光をもたらす照明とその光を受けとめる周辺との間に光環境があり、その具合、調子でヒトは明るい、暗い、心地よいなどの感覚を受けとるものである。【０００６】  従来、前記のような照明としては、直接光源が見えない、壁や天井など建築物の躯体に光を当て、反射光で室内を照らす間接照明がある。【０００７】  前記のような間接照明には、次のようなものがある。
（１）フロアスタンド、床の上に立てて使う電気スタンド、大きなものは場所を取ってしまうために、ペンダントライトなどに比べるとあまり使用されていない。
（２）テーブルスタンド、テーブルの上に置いて使用する小型の電気スタンド、比較的安価で多種なデザインある。
（３）ペンダントライト、天井から吊り下げる照明器具で最も一般的なもので、スイッチが本体についているものと、壁に取り付けられているもの、リモコンになっているものがある。
（４）ブラケット、壁面に取り付けた照明器具で、主に商業施設に用いられることが多いものである。【０００８】  上記のように従来の間接照明は、やさしい明かりなのでムードのある空間を演出するのに適しており、また、光源に対してカサの部分や光を当てる箇所に工夫を凝らすことによって、デザインパターンは無限に広がるものである。
このような間接照明は、通常の直接光とは違い、ものを美しく、幻想的に演出することができることから、物を見るためではなく、空間を見せるための光とも言い、主に商店の商品を展示するスペースや、飲食店やリゾートホテルなどの演出作りのために使用されているものである。
【発明の開示】
【発明が解決しようとする課題】
【０００９】  しかしながら、上記のような畳製品は、機能性やデザイン性もよく考えられたものであったが、敷物としての使い方から発展させたものではなかった。
そのため敷物として、使用する以外の需要を開拓するには、いたらなかった。【００１０】  また、上記のように従来の間接照明は、主に、商店や飲食店などの商業空間に使用されている、それは予め、どんな空間を作りたいか、を明確にしておくことが大事で、計画段階において組み込まれているものであるため、通常の生活空間である、一般住宅では、採用しにくいものであった。【００１１】  更に、上記のような間接照明を、床面などに使用する場合は、予め、床下の配線工事などが必要で、コストがかかるものである。【００１２】  上記のような問題を解決するために、本発明の発光手段を有する機能性畳は、従来、敷物としての使い方しかなかった畳に発光手段を設けることで、一般住宅でも簡単に癒しの空間を演出する間接照明を得ることができるものである。【００１３】  また、従来の間接照明でも、就寝時の照明としては、眩し過ぎるという問題があった、それは、一度寝て途中で目を覚ました場合や眠くてどうしようもない寝惚けた状態の人間にとって、光そのものが非常に明る過ぎるもので、それは、頭がボーとしまぶたは薄くしか開かず暗闇の中で瞳孔が拡大している状態で、光に直撃されると、痛い程の刺激を受け目が眩むものであり、しばらくは足下をよく確認できないので、何かに躓いて転倒する危険もある。
そのため眩しさを感じることなく眠りに入ることができ、かつ夜中の移動に対しても足元を照らしてくれる照明がもとめられていた。
【課題を解決するための手段】
【００１４】  上記目的を達成するために、本発明の、発光手段を有する機能性畳は、畳表と畳床からなる畳において、発光手段を有するもので、従来、敷物としての使い方しかなかった、畳を足元を明るくしたり、空間を演出するための発光手段として使用することができる。【００１５】  前記畳の表面部に発光手段を有するもので、畳の表面が発光することで、上に置いた物を下から照らすことが出来、主に床の間などに敷いて、上に物を置いて使用するものである。【００１６】  前記畳の側面部に発光手段を有するもので、主にフローリングなどに使用する置き畳や寝台用の畳に使用し、夜足元を照らし、躓いたりしないようにするものである。【００１７】  前記畳の縁端部に発光手段を有するもので、畳の存在感を引き立たせ、主に空間を演出するために使用するものである。
【発明の効果】
【００１８】  本発明は上記した構成を成すもので、以下に記載されるような効果を奏する。【００１９】  畳の本来の機能性やデザイン性を生かしつつ、新機能を付加することで、畳製品の使用範囲を広げて、需要を増やすことが出来る。
また、意匠性も高いものである。【００２０】  床に近い所からの照明が、くつろぎのスペースを創り出すことが出来る。【００２１】  この発明の機能性畳によると、畳本体の表面部、側面部、縁端部に発光手段を設けたので、上に寝たときに発光手段の照射光は直接目に入らず、間接照明となり、眩しさを感じることなく眠りに入ることができるという効果が得られる。【００２２】  眩しくなく睡眠の妨げにならず寝室とトイレなどの行き来が安全にできる室内照明となる。【００２３】  また、一晩中点灯しておいても安眠を妨げず、起きる時だけ点灯しても同室者に迷惑をかけず、照明による肉体的精神的ストレスがない。
【発明を実施するための最良の形態】
【００２４】  本発明の実施の形態を実施例にもとづき図面を参照して説明する。
図において、１は畳本体、１−Ａは表面部、１−Ｂは側面部、１−Ｃは縁端部、２は畳表、３は畳床、４は畳縁、５は発光手段である。【００２５】  図において、畳本体１には、表面部１−Ａ、側面部１−Ｂ、縁端部１−Ｃが其々設けられている。【００２６】  発光手段５は、前記畳１の表面部１−Ａ及び側面部１−Ｂ並びに縁端部１−Ｃに、其々任意に配設されているものである。【００２６】  前記発光手段５は、必要に応じて、その形状及び方法並びに取り付け方法を任意に変えるものである。
例えば、発光手段５の方法としては、電球、蛍光灯、発光ダイオード、光ファイバー、液体の蛍光剤などを使用する。
例えば、発光手段５の形状としては、丸形、方形、三角、多角形、棒状、線状、点状などを使用する。
例えば、発光手段５の取り付け方法としては、表面に突出状態に設けたり、内部に設けたりする。
また、発光手段５に使用するエネルギーは、例えば、コンセントなどに接続して供給される、外部エネルギーや、電池などをなどから供給される、内部エネルギーや、薬品の科学反応などで得られる、エネルギーなどがある。
【実施例】
【００２７】  図２は、畳１の表面部１−Ａに丸型の小型電球５−Ａを使用した発光手段５を内部に設けたもので、畳床３に前記小型電球５−Ａを収納するための空間を設け、この空間に表面部１−Ａから光が投射されるように小型電球５−Ａを設ける。【００２８】  次に、前記小型電球５−Ａを収納した空間の開口部に、小型電球５−Ａを保護するための透光性の有ると保護カバー６を設け、該保護カバー６の上を畳表２で覆うものである。【００２９】  なお、前記実施例は本発明の一例を説明したものである。
【産業上の利用可能性】
【図面の簡単な説明】
【図１】本発明の実施例を示す斜視図
【図２】本発明の実施例を示す平面図
【図３】本発明の実施例を示す断面図１
【図４】本発明の実施例を示す断面図２
【図５】本発明の実施例を示す断面図３
【符号の説明】
１  畳
２  畳表
３  畳床
４  畳縁
５  発光手段
６  保護カバー
１−Ａ  表面部
１−Ｂ  側面部
１−Ｃ  縁端部
【図１】
2007309071.tif 000003
【図２】
2007309071.tif 000004
【図３】
2007309071.tif 000005
【図４】
2007309071.tif 000006
【図５】
2007309071.tif 000007